(57)【要約】【課題】電力供給が遮断された後に制御処理を実行でき、かつ、大型化を抑制できる電源装置を提供する。【解決手段】交流電源２から交流電流が入力されて、負荷に出力電流を供給する電源装置１０であって、交流電流を整流することで脈動電流に変換する整流回路１２と、脈動電流が入力されて、出力電流を生成する主電源回路２０と、主電源回路２０を制御する制御回路３０と、脈動電流が入力される入力端子Ｔ１を有し、脈動電流に対応する入力電圧を第一電圧に降圧し、第一電圧を制御回路３０に供給する補助電源回路６０と、入力端子Ｔ１に接続され、入力電圧が印加される第一コンデンサ１８と、整流回路１２と入力端子Ｔ１との間に接続され、入力端子Ｔ１側から整流回路１２側に向かって流れる電流を遮断する整流素子１６とを備える。【選択図】図１
2018133927.tif 000002
【特許請求の範囲】
【請求項１】
交流電源から交流電流が入力されて、負荷に出力電流を供給する電源装置であって、
前記交流電流を整流することで脈動電流に変換する整流回路と、
前記脈動電流が入力されて、前記出力電流を生成する主電源回路と、
前記主電源回路を制御する制御回路と、
前記脈動電流が入力される入力端子を有し、前記脈動電流に対応する入力電圧を第一電圧に降圧し、前記第一電圧を前記制御回路に供給する補助電源回路と、
前記入力端子に接続され、前記入力電圧が印加される第一コンデンサと、
前記整流回路と前記入力端子との間に接続され、前記整流回路側から前記入力端子側に向かって流れる前記脈動電流を通過させ、かつ、前記入力端子側から前記整流回路側に向かって流れる電流を遮断する整流素子とを備える
電源装置。
【請求項２】
前記制御回路は、無線通信を行う通信回路を有する
請求項１に記載の電源装置。
【請求項３】
前記通信回路は、前記無線通信の方式として、Ｂｌｕｅｔｏｏｔｈ（登録商標）通信方式を用いる
請求項２に記載の電源装置。
【請求項４】
前記補助電源回路は、降圧チョッパ回路である
請求項１〜３のいずれか１項に記載の電源装置。
【請求項５】
前記補助電源回路は、
前記第一電圧を出力する出力端子と、
前記出力端子に接続され、前記第一電圧を平滑化する第二コンデンサとを有する
請求項４に記載の電源装置。
【請求項６】
前記第一コンデンサに蓄積される電荷量は、前記第二コンデンサに蓄積される電荷量より大きい
請求項５に記載の電源装置。
【請求項７】
請求項１〜６のいずれか１項に記載の電源装置と、
前記負荷とを備え、
前記負荷は、光源を有する
照明器具。
【発明の詳細な説明】
【技術分野】
【０００１】
本発明は、負荷に電圧を供給する電源装置及び照明器具に関する。
【背景技術】
【０００２】
従来、リモコンなどによって遠隔操作可能な電気機器が知られている（例えば、特許文献１参照）。特許文献１に開示された照明器具は、光源と、光源に電流を供給する電源装置とを備える。また当該電源装置は、リモコンなどからの調光信号が入力される調光信号入力回路を有する。調光信号入力回路は、スイッチング回路に調光信号に対応する信号を出力し、スイッチング回路は、調光信号に対応するデューティ比でスイッチング素子を制御する。これにより、照明器具の調光レベルを遠隔操作できる。
【先行技術文献】
【特許文献】
【０００３】
【特許文献１】特開２０１３−７０６１７号公報
【発明の概要】
【発明が解決しようとする課題】
【０００４】
照明器具などの電気機器を遠隔操作するために、電波などを用いた無線通信が利用されている。電波を用いた無線通信において、例えば、Ｂｌｕｅｔｏｏｔｈ（登録商標）方式などの無線通信規格が使用されている。照明器具の遠隔操作において、Ｂｌｕｅｔｏｏｔｈ（登録商標）方式に基づく無線通信を使用する場合、電源からの電力供給が主電源スイッチなどによって遮断された後に、遠隔操作用の通信回路において複数の処理を行う。例えば、通信回路において、電力供給が遮断される直前における照明器具の調光レベルを記憶する処理などが行われる。電力供給が遮断された後に、このような処理を行うための電力を通信回路に供給するために、通信回路の電力入力部に、コンデンサなどの容量素子を接続して、電力を蓄積する方法が考えられる。しかしながら、この方法で通信回路における処理を実行するために十分な電力を蓄積するためには、容量素子が占める容積が大型化する場合がある。このため、照明器具の小型化が困難となる。
【０００５】
そこで、本発明は、電力供給が停止された後に制御処理を実行でき、かつ、大型化を抑制できる電源装置及び照明器具を提供することを目的とする。
【課題を解決するための手段】
【０００６】
上記目的を達成するため、本発明の一態様に係る電源装置は、交流電源から交流電流が入力されて、負荷に出力電流を供給する電源装置であって、前記交流電流を整流することで脈動電流に変換する整流回路と、前記脈動電流が入力されて、前記出力電流を生成する主電源回路と、前記主電源回路を制御する制御回路と、前記脈動電流が入力される入力端子を有し、前記脈動電流に対応する入力電圧を第一電圧に降圧し、前記第一電圧を前記制御回路に供給する補助電源回路と、前記入力端子に接続され、前記入力電圧が印加される第一コンデンサと、前記整流回路と前記入力端子との間に接続され、前記整流回路側から前記入力端子側に向かって流れる前記脈動電流を通過させ、かつ、前記入力端子側から前記整流回路側に向かって流れる電流を遮断する整流素子とを備える。
【０００７】
また、上記目的を達成するため、本発明の一態様に係る照明器具は、上記電源装置と、上記負荷とを備え、上記負荷は、光源を有する。
【発明の効果】
【０００８】
本発明によれば、電力供給が遮断された後に制御処理を実行でき、かつ、大型化を抑制できる電源装置及び照明器具を提供できる。
【図面の簡単な説明】
【０００９】
【図１】図１は、実施の形態に係る電源装置の機能構成を示す概略回路図である。
【図２】図２は、実施の形態に係る補助電源回路の回路構成の一例を示す回路図である。
【図３Ａ】図３Ａは、実施の形態に係る電源装置を備える照明器具の一例の外観図である。
【図３Ｂ】図３Ｂは、実施の形態に係る電源装置を備える照明器具の他の一例の外観図である。
【発明を実施するための形態】
【００１０】
以下では、本発明の実施の形態について、図面を用いて詳細に説明する。なお、以下に説明する実施の形態は、いずれも本発明の一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。また、各図において、同じ構成部材については同じ符号を付している。
【００１２】
（実施の形態）
実施の形態に係る電源装置について説明する。
【００１３】
［１．構成］
まず、本実施の形態に係る電源装置の構成について図面を用いて説明する。
【００１４】
図１は、本実施の形態に係る電源装置１０の機能構成を示す概略回路図である。なお、図１には、電源装置１０に電力を供給する交流電源２と、電源装置１０から電力を供給される負荷４とが併せて示されている。図２は、本実施の形態に係る補助電源回路６０の回路構成の一例を示す回路図である。図２においては、補助電源回路６０と併せて、補助電源回路６０に接続される整流素子１６及び第一コンデンサ１８が示されている。
【００１５】
交流電源２は、電源装置１０に交流電力を供給する電源である。交流電源２は、例えば、ＡＣ１００Ｖの商用交流電源などの系統電源である。
【００１６】
負荷４は、電源装置１０から電力を供給される装置である。負荷４は、電力を使用する装置であれば特に限定されないが、例えば、ＬＥＤ（Ｌｉｇｈｔ  Ｅｍｉｔｔｉｎｇ  Ｄｉｏｄｅ）などの固体発光素子を備える光源である。
【００１７】
電源装置１０は、交流電源２から交流電流が入力されて、負荷４に出力電流を供給する装置である。図１に示されるように、電源装置１０は、整流回路１２と、主電源回路２０と、補助電源回路６０と、制御回路３０と、第一コンデンサ１８と、整流素子１６とを備える。本実施の形態では、電源装置１０は、さらに、スイッチ１１と、コンデンサ１３と、降圧電源回路７０とを備える。
【００１８】
スイッチ１１は、交流電源２から電源装置１０への電力供給を遮断する素子である。スイッチ１１が導通状態の場合に、交流電源２から電源装置１０に交流電流が供給され、スイッチ１１が非導通状態の場合に、交流電源２から電源装置１０への交流電流の供給が遮断される。
【００１９】
整流回路１２は、交流電源２からの交流電流を整流することで脈動電流に変換する回路である。整流回路１２から出力された脈動電流は、コンデンサ１３によって平滑化されて、主電源回路２０に入力される。整流回路１２は、特に限定されないが、例えば、全波整流用のダイオードブリッジである。
【００２０】
コンデンサ１３は、整流回路１２から出力された脈動電流を平滑化する容量素子である。本実施の形態では、コンデンサ１３として、例えば、静電容量が０．１μＦ程度のコンデンサを用いることができる。
【００２１】
主電源回路２０は、整流回路１２から脈動電流が入力されて、負荷４に出力する出力電流を生成する回路である。本実施の形態では、整流回路１２から、コンデンサ１３を介して脈動電流が入力される。主電源回路２０の構成は特に限定されない。主電源回路２０は、例えば、スイッチング素子を含む電圧変換回路などを有する。主電源回路２０は、スイッチング素子を含む電圧変換回路として、例えば、昇圧チョッパ回路と、降圧チョッパ回路とを有する。これにより、降圧チョッパ回路を制御することで、主電源回路２０から出力される電流を調整することができる。また、主電源回路２０は、負荷に流れる電流を一定に制御する定電流回路などを備えてもよい。
【００２２】
制御回路３０は、主電源回路２０を制御する回路である。制御回路３０は、例えば、リモコンなどから送信された操作信号に基づいて主電源回路２０を制御する。制御回路３０は、主制御回路３１と、通信回路３２とを有する。
【００２３】
通信回路３２は、例えば、リモコン（図示せず）などから送信された操作信号に基づいて主制御回路３１に信号を出力する回路である。本実施の形態では、通信回路３２は、リモコンとの間で無線通信を行う。通信回路３２は、無線通信の方式として、例えば、Ｂｌｕｅｔｏｏｔｈ（登録商標）通信方式を用いる。制御装置４０は、例えば、マイコン（ＭＣＵ；Ｍｉｃｒｏ−Ｃｏｎｔｒｏｌｌｅｒ  Ｕｎｉｔ）で実現される。マイコンは、プログラムが格納されたＲＯＭ、ＲＡＭ、プログラムを実行するプロセッサ（ＣＰＵ；Ｃｅｎｔｒａｌ  Ｐｒｏｃｅｓｓｉｎｇ  Ｕｎｉｔ）、タイマ、Ａ／Ｄ変換器やＤ／Ａ変換器を含む入出力回路などを有する１チップの半導体集積回路である。
【００２４】
主制御回路３１は、通信回路３２から送信される信号に基づいて、主電源回路２０を駆動する回路である。例えば、主電源回路２０が、昇圧チョッパ回路及び降圧チョッパ回路を有する場合、主制御回路３１は、通信回路３２から受信した信号に基づいて、各チョッパ回路に含まれるスイッチング素子を駆動する。これにより、主電源回路２０からの出力電流を制御することができる。
【００２５】
補助電源回路６０は、整流回路１２から脈動電流が入力されて、脈動電流に対応する入力電圧を第一電圧に降圧し、第一電圧を制御回路３０に供給する回路である。補助電源回路６０は、脈動電流が入力される入力端子Ｔ１と、第一電圧を出力する出力端子Ｔ２とを有する。本実施の形態では、補助電源回路６０は、１００Ｖｒｍｓの入力電圧を１５Ｖの第一電圧に降圧して出力する。
【００２６】
補助電源回路６０の回路構成は特に限定されない。本実施の形態では、補助電源回路６０は降圧チョッパ回路である。これにより、補助電源回路６０において降圧する際に発生する電力損失を抑制できる。補助電源回路６０は、図２に示されるように、ツェナーダイオード６１と、ダイオード６２及び６６と、抵抗６３と、ＩＰＤ（インテリジェントパワーデバイス）６４と、チョークコイル６５と、第二コンデンサ６７とを有する。
【００２７】
ＩＰＤ６４は、スイッチング素子とそのコントローラとを１パッケージ化したモジュールである。ＩＰＤ６４は、ドレイン端子ＴＤと、ソース端子ＴＳと、コントロール端子ＴＣとを有する。チョークコイル６５は、ＩＰＤ６４でのスイッチングによって起電力を発生するインダクタである。ダイオード６６は、チョークコイル６５で発生した起電力に対応する電流を一定方向に流して回生させる。第二コンデンサ６７は、チョークコイル６５から出力される脈動電流を平滑化する容量素子である。第二コンデンサ６７は、交流電源２から整流回路１２への交流電流の供給がスイッチ１１によって遮断された場合には、第一電圧を出力するための電源として機能する。本実施の形態では、第二コンデンサ６７として、例えば、静電容量１００μＦの電解コンデンサを用いる。ツェナーダイオード６１、ダイオード６２及び抵抗６３の直列接続は、補助電源回路６０の出力をＩＰＤのコントロール端子ＴＣにフィードバックする回路である。ツェナーダイオード６１は、定電圧を得るための素子である。
【００２８】
第一コンデンサ１８は、一方の電極が補助電源回路６０の入力端子Ｔ１に接続され、他方の電極が接地されて、脈動電流に対応する入力電圧が印加される容量素子である。第一コンデンサ１８は、本実施の形態では、１００Ｖｒｍｓの入力電圧が印加される。第一コンデンサ１８は、交流電源２から整流回路１２への交流電流の供給がスイッチ１１によって遮断された場合には、補助電源回路６０を動作させるための電源として機能する。このように、補助電源回路６０の入力端子Ｔ１に第一コンデンサ１８が接続されることにより、出力端子Ｔ２に第一コンデンサ１８が接続される場合より、高い電圧を第一コンデンサ１８に印加することができる。ここで、コンデンサに蓄積される電荷量は、印加電圧と静電容量との積となるため、印加電圧を高くすることで、コンデンサにより効率よく電荷を蓄積できる。例えば、上述のように入力電圧が１００Ｖｒｍｓ、第一電圧が１５Ｖであり、入力端子Ｔ１に第一コンデンサ１８を接続する場合、出力端子Ｔ２に第一コンデンサ１８を接続する場合に対して、コンデンサにおける電荷蓄積効率が、約６．７（≒１００／１５）倍となる。したがって、電源装置１０では、コンデンサによって占有される体積を抑制しながら、蓄積する電荷量を増大できる。本実施の形態では、第一コンデンサ１８として、例えば、静電容量２０μＦの電解コンデンサを用いる。これにより、スイッチ１１が遮断されることによって補助電源回路６０への電力供給が遮断された後に、例えば数１００ｍｓｅｃから数ｓｅｃ程度の間、制御回路３０が制御処理を行うことができる。また、第一コンデンサ１８に蓄積される電荷量は、第二コンデンサ６７に蓄積される電荷量より大きい。このため、電荷蓄積効率が高い第一コンデンサ１８により多い電荷が蓄積されるため、コンデンサの寸法の大型化を抑制できる。
【００２９】
整流素子１６は、整流回路１２と補助電源回路６０の入力端子Ｔ１との間に接続され、整流回路１２側から入力端子Ｔ１側に向かって流れる脈動電流を通過させ、かつ、入力端子Ｔ１側から整流回路１２側に向かって流れる電流を遮断する素子である。本実施の形態では、整流素子１６はダイオードであり、図１に示されるノードＮ１にアノードが接続され、入力端子Ｔ１にカソードが接続される。これにより、補助電源回路６０及び入力端子Ｔ１に接続された第一コンデンサ１８から整流回路１２及び主電源回路２０に電流が逆流することを抑制できる。例えば、電源装置１０が整流素子１６を備えない場合、つまり、ノードＮ１と入力端子Ｔ１とが直接接続される場合には、コンデンサ１３より静電容量が大きい第一コンデンサ１８が、コンデンサ１３と並列に接続されることになる。このため、例えば、主電源回路２０が、力率改善回路を有していても、静電容量の大きい第一コンデンサ１８に起因して力率が低下する。一方、電源装置１０のように整流素子１６が接続される場合、ノードＮ１と第一コンデンサ１８との間において電流が一方向だけに流れるため、第一コンデンサ１８が力率に与える影響を抑制できる。さらに、電源装置１０のように整流素子１６が接続される場合、スイッチ１１が遮断された際に、第一コンデンサ１８に蓄積された電荷が、整流回路１２側に向かって流れることを抑制できる。つまり、第一コンデンサ１８に蓄積された電荷を効率的に補助電源回路６０に供給できる。これにより、スイッチ１１が遮断された後に、制御回路３０をより長い時間にわたって動作させることができる。
【００３０】
降圧電源回路７０は、第一電圧が供給され、第一電圧を第二電圧に降圧する回路である。降圧電源回路７０は、通信回路３２に第二電圧を供給する。本実施の形態では、１５Ｖ程度の第一電圧が供給され、３Ｖ程度の第二電圧に降圧する。第二電圧は、通信回路３２を動作させるために用いられる。降圧電源回路７０として、三端子レギュレータなどの簡素な回路を用いることができる。
【００３１】
［２．動作］
次に、本実施の形態に係る電源装置１０の動作について説明する。
【００３２】
まず、電源装置１０のスイッチ１１が遮断状態から導通状態に切り換えられた場合には、交流電源２から出力される交流電流が整流回路１２によって整流され、脈動電流が出力される。脈動電流は、コンデンサ１３によって平滑化され、主電源回路２０及び補助電源回路６０に入力される。補助電源回路６０は、脈動電流に対応する１００Ｖｒｍｓの入力電圧を１５Ｖの第一電圧に降圧して、制御回路３０と降圧電源回路７０とに供給する。降圧電源回路７０は、供給された１５Ｖの第一電圧を３Ｖの第二電圧に降圧して通信回路３２に供給する。第二電圧が供給された通信回路３２は、動作を開始し、例えば、通信回路３２に記憶されたスイッチ１１遮断前の主電源回路２０の動作状態と同様の状態で主電源回路２０を動作させるように、主制御回路３１に信号を出力する。主制御回路３１は、通信回路３２から受信した信号に基づいて主電源回路２０を駆動する。これにより、スイッチ１１が遮断される前の状態で電源装置１０が動作する。例えば、負荷４が光源を有する場合、スイッチ１１が遮断される前の調光レベルで光源から照明光を出射させることができる。
【００３３】
一方、電源装置１０のスイッチ１１が導通状態から遮断状態に切り換えられた場合には、交流電源２から出力される交流電流がスイッチ１１によって遮断され、整流回路１２からの脈動電流の出力が停止される。これに伴い、主電源回路２０及び補助電源回路６０への脈動電流の入力が停止される。主電源回路２０は、脈動電流の入力が停止されるとコンデンサ１３などに蓄積された電荷が放電される間、動作した後、動作を停止する。スイッチ１１が遮断された後も、第一コンデンサ１８に蓄積された電荷が放電される間、補助電源回路６０は第一電圧を出力し続ける。これによって、制御回路３０は、第一電圧が供給される間、動作することができる。
【００３４】
また、本実施の形態では、補助電源回路６０は、降圧チョッパ回路であり、出力端子Ｔ２に接続された平滑用の第二コンデンサ６７を有する。これにより、第一コンデンサ１８だけでなく、第二コンデンサ６７においても電荷を蓄積できる。したがって電源装置１０においては、電源装置１０への電力供給停止後に、より一層多い電力を制御回路３０に供給できる。
【００３５】
このため、例えば、通信回路３２は、スイッチ１１が遮断された後に、スイッチ１１が遮断される前の主電源回路２０の動作状態を記憶するなどの制御処理を行うことができる。例えば、負荷４が光源を有する場合、通信回路３２はスイッチ１１が遮断される前の調光レベルを記憶することができる。
【００３６】
また、以上のように本実施の形態に係る電源装置１０では、スイッチ１１が遮断された後に、主電源回路２０が停止しても、制御回路３０を動作させることができる。これにより、主電源回路２０より先に制御回路３０が停止することによって、主電源回路２０が制御不能な状態となることを抑制できる。例えば、負荷４が光源を有し、スイッチ１１を遮断する前に、低い調光レベルで光源から照明光を出射させていた場合を想定する。この場合、スイッチ１１を遮断することで、主電源回路２０より先に制御回路３０が動作を停止すると、主電源回路２０が制御不能となって、例えば、最大の調光レベルで動作することがあり得る。この場合、光源を消灯させる前に、一瞬強い照明光が出射され得る。本実施の形態に係る電源装置１０では、主電源回路２０が制御不能をなる可能性を低減できるため、このような意図しない動作の発生を抑制できる。
【００３７】
以上のように、本実施の形態に係る電源装置１０では、交流電源２からの電力供給が遮断された後に制御処理を実行できる。しかも、上述のとおり、第一コンデンサ１８の電荷蓄積効率を、第一コンデンサ１８を補助電源回路６０の出力端子Ｔ２に接続する場合より、向上できるため、第一コンデンサ１８を大型化することを抑制しつつ、多くの電荷を第一コンデンサ１８に蓄積することができる。したがって、電源装置１０の大型化を抑制できる。
【００３８】
［３．まとめ］
以上のように、本実施の形態に係る電源装置１０は、交流電源２から交流電流が入力されて、負荷に出力電流を供給する装置である。電源装置１０は、交流電流を整流することで脈動電流に変換する整流回路１２と、脈動電流が入力されて、出力電流を生成する主電源回路２０と、主電源回路２０を制御する制御回路３０とを備える。電源装置１０は、さらに、脈動電流が入力される入力端子Ｔ１を有し、脈動電流に対応する入力電圧を第一電圧に降圧し、第一電圧を制御回路３０に供給する補助電源回路６０と、入力端子Ｔ１に接続され、入力電圧が印加される第一コンデンサ１８とを備える。電源装置１０は、さらに、整流回路１２と入力端子Ｔ１との間に接続され、整流回路１２側から入力端子Ｔ１側に向かって流れる脈動電流を通過させ、かつ、入力端子Ｔ１側から整流回路１２側に向かって流れる電流を遮断する整流素子１６を備える。
【００３９】
これにより、電源装置１０において、交流電源２からの電力供給が停止された後に、補助電源回路６０は第一コンデンサ１８に蓄積された電荷を用いて、第一電圧を制御回路３０に供給できる。このため、電源装置１０においては、交流電源２からの電力供給が遮断された後にも、制御処理を実行できる。また、電源装置１０においては、第一コンデンサ１８を補助電源回路６０の入力端子に接続することにより、第一コンデンサ１８を補助電源回路６０の出力端子Ｔ２に接続する場合より、電荷蓄積効率を向上できる。このため、第一コンデンサ１８を大型化することを抑制しつつ、多くの電荷を第一コンデンサ１８に蓄積することができる。したがって、電源装置１０の大型化を抑制できる。
【００４０】
また、電源装置１０において、制御回路は、無線通信を行う通信回路を有してもよい。
【００４１】
これにより、無線通信を用いて電源装置１０を遠隔操作することができる。
【００４２】
また、電源装置１０において、通信回路３２は、無線通信の方式として、Ｂｌｕｅｔｏｏｔｈ（登録商標）通信方式を用いてもよい。
【００４３】
この場合、電源装置１０への電力供給が停止された後に、電源装置１０の動作状態を記憶するなどの制御処理を行う必要があるが、電源装置１０においては、上述のとおり、電力供給停止後にも制御処理を行うことができる。このため、通信回路３２における電力供給停止後の制御処理を確実に実行できる。
【００４４】
また、電源装置１０において、補助電源回路６０は、降圧チョッパ回路であってもよい。
【００４５】
これにより、補助電源回路６０において降圧する際に発生する電力損失を抑制できる。
【００４６】
また、電源装置１０において、補助電源回路６０は、第一電圧を出力する出力端子Ｔ２と、出力端子Ｔ２に接続され、第一電圧を平滑化する第二コンデンサ６７とを有してもよい。
【００４７】
これにより、第一コンデンサ１８だけでなく、第二コンデンサ６７においても電荷を蓄積できるため、電源装置１０への電力供給停止後に、より多い電力を制御回路３０に供給できる。
【００４８】
また、電源装置１０において、第一コンデンサ１８に蓄積される電荷量は、第二コンデンサ６７に蓄積される電荷量より大きくてもよい。
【００４９】
これにより、電荷蓄積効率が高い第一コンデンサ１８により多い電荷が蓄積されるため、コンデンサの寸法の大型化を抑制できる。
【００５０】
（変形例など）
上記実施の形態における電源装置１０は、各種電気機器に適用できる。例えば、電源装置１０は、各種照明器具に適用できる。
【００５１】
図３Ａ及び図３Ｂは、電源装置１０を備える各種照明器具２００ａ及び２００ｂの外観図である。図３Ａに示される照明器具２００ａは、ダウンライトであり、図３Ｂに示される照明器具２００ｂは、スポットライトである。照明器具２００ａ及び２００ｂは、回路ボックス２０１及び灯体２０２を有し、照明器具２００ａは、さらに、配線２０３を有する。回路ボックス２０１は、上記実施の形態に係る電源装置１０を収納しているボックスである。灯体２０２は、負荷４の一例である光源を収納している。光源は、例えば、ＬＥＤなどの発光素子を有する。配線２０３は、回路ボックス２０１と灯体２０２に収納された光源とを電気的に接続している。
【００５２】
このような照明器具２００ａ及び２００ｂは、光源を有する負荷４と、上記実施の形態に係る電源装置１０とを備えるので、電源装置１０と同様の効果を奏することができる。
【００５３】
以上、本発明に係る電源装置及び照明器具について、実施の形態に基づいて説明したが、本発明は、この実施の形態に限定されるものではない。本発明の主旨を逸脱しない限り、当業者が思いつく各種変形を本実施の形態に施したものや、実施の形態における一部の構成要素を組み合わせて構築される別の形態も、本発明の範囲内に含まれる。
【００５４】
例えば、上記実施の形態では、通信回路３２は、マイコンによってソフトウェア的に実現されたが、Ａ／Ｄ変換器、論理回路、ゲートアレイ、Ｄ／Ａ変換器等で構成される専用の電子回路によってハードウェア的に実現されてもよい。
【符号の説明】
【００５５】
４  負荷
１０  電源装置
１６  整流素子
１８  第一コンデンサ
２０  主電源回路
３０  制御回路
３２  通信回路
６０  補助電源回路
６７  第二コンデンサ
７０  降圧電源回路
２００ａ、２００ｂ  照明器具
Ｔ１  入力端子
【図１】
2018133927.tif 000003
【図２】
2018133927.tif 000004
【図３Ａ】
2018133927.tif 000005
【図３Ｂ】
2018133927.tif 000006